(57)【要約】【課題】装置が有する地図の区画ごとの古さの段階をユーザに知らしめる地図表示装置を提供すること。【解決手段】サーバ装置１１から地図データ管理情報を受信し、地図データ管理情報記憶手段３に記憶された地図データ管理情報と比較して、地図データ記憶手段２に記憶された地図データの古さの段階を所定の地図区画単位ごとに算出する更新情報比較手段６と、更新情報比較手段６の算出結果と地図データ記憶手段２に記憶された地図データとをもとに地図データの古さの段階が所定の地図区画単位毎に分かるような地図表示を行う表示手段７とを備えたことにより、装置が保有する地図の古さの段階を区画毎にユーザに知らしめることができる。【選択図】図１
2006106252.tif 000002
【特許請求の範囲】
【請求項１】
地図データの少なくとも作成時期に関する更新情報を含む地図データ管理情報を所定の地図区画単位毎に送信可能なサーバ装置とともに、地図配信システムを構成する地図表示装置であって、地図データを記憶する地図データ記憶手段と、前記地図データ記憶手段に記憶された地図データの地図データ管理情報を前記所定の地図区画単位毎に記憶する地図データ管理情報記憶手段と、現在表示されている地図データの古さの段階を表示するか否かやその表示内容などを入力する操作手段と、前記操作手段により地図データの古さの段階を表示する旨入力された場合に前記サーバ装置に対して地図データ管理情報の要求信号を送信し前記サーバ装置から地図データ管理情報を受信する通信手段と、前記操作手段により地図データの古さの段階を表示する旨入力された場合に前記通信手段で受信した地図データ管理情報と前記地図データ管理情報記憶手段に記憶された地図データ管理情報とを比較して前記地図データ記憶手段に記憶された地図データの古さの段階を前記所定の地図区画単位毎に算出する更新情報比較手段と、前記更新情報比較手段の算出結果と前記地図データ記憶手段に記憶された地図データとをもとに地図データの古さの段階が前記所定の地図区画単位毎に分るような地図表示を行う表示手段とを備えた地図表示装置。
【請求項２】
前記表示手段は、更新番号や更新時期などの文字情報によって地図データの古さの段階を表示させることを特徴とする請求項１記載の地図表示装置。
【請求項３】
前記表示手段は、色や明るさなどのイメージ情報によって地図データの古さの段階を表示させることを特徴とする請求項１記載の地図表示装置。
【請求項４】
前記サーバ装置は地図データの送信も可能であって、前記操作手段は前記サーバ装置から地図データを入手して更新する指示を入力することが可能で、前記通信手段は前記操作手段により地図データの更新指示が入力された場合に、前記サーバ装置に対して地図データおよび地図データ管理情報の要求信号を送信し前記サーバ装置から地図データや地図データ管理情報を受信し、前記地図データ記憶手段は前記通信手段で受信した地図データを記憶し、前記地図データ管理情報記憶手段は前記通信手段で地図データを受信した際に前記通信手段で受信した地図データ管理情報を記憶することを特徴とする請求項１記載の地図表示装置。
【発明の詳細な説明】
【技術分野】
【０００１】
本発明は、サーバ装置から地図を取得して表示する地図表示装置に関する。
【背景技術】
【０００２】
従来の地図表示装置は、装置内に記憶されている地図データの作成時期とサーバ装置に記憶されている地図データの作成時期とを所定の区画ごとに比較して、サーバ装置に記憶されている地図データの作成時期よりも、装置に記憶されている地図データの作成時期が古い区画の地図の表示態様を他の部分と異ならせて表示装置に地図を表示することにより、ユーザが所有している地図データが、サーバ装置の保有する地図データよりも古いか否かを識別できるようにしたものである。（例えば特許文献１参照）。
【０００３】
また、装置の記憶手段に記憶されている地図データの作成時期を特定して、その作成時期から現在までの期間を地図データの使用期間として算出し、地図の表示状態を使用期間に応じて変化させることにより、地図データが古くなったことを効果的に感じさせるものもある。（例えば特許文献２参照）。
【特許文献１】特開２００３−１３０６５０号公報
【特許文献２】特開２００１−１４１４７３号公報
【発明の開示】
【発明が解決しようとする課題】
【０００４】
しかしながら、上記従来の構成では、更新が必要な区画のみを区画単位で更新してきた場合に、種々のバージョンの区画が存在する場合に、古さの段階をユーザに知らしめることはできない。つまり、古いか新しいかの情報、あるいは最終更新からの経過期間の情報のみでは、ユーザが地図を更新しようとする際の情報としては不十分であるという課題を有していた。
【０００５】
本発明は、前記従来の課題を解決するもので、装置が保有する地図の最終更新時のバージョンからサーバ装置が保有する最新のバージョンの間にどれくらいのバージョンが存在するのか、つまりサーバ装置側の地図の更新履歴に対する装置側の地図更新の対応状況が分るように、装置が有する地図の区画ごとの古さの段階をユーザに知らしめる地図表示装置を提供することを目的とする。
【課題を解決するための手段】
【０００６】
前記従来の課題を解決するために本発明の地図表示装置は、特にサーバ装置から地図データ管理情報を受信し、地図データ管理情報記憶手段に記憶された地図データ管理情報と比較して地図データ記憶手段に記憶された地図データの古さの段階を所定の地図区画単位ごとに算出する更新情報比較手段と、更新情報比較手段の算出結果と地図データ記憶手段に記憶された地図データとをもとに地図データの古さの段階が所定の地図区画単位毎に分かるような地図表示を行う表示手段とを備えた。
【０００７】
この構成により、装置が保有する地図の古さの段階を区画毎にユーザに知らしめることができる。
【発明の効果】
【０００８】
本発明の地図表示装置によれば、サーバ装置側の地図の更新履歴に対する装置側の地図更新の対応状況が分るように地図の区画ごとに古さの段階をユーザに知らしめることができるので、ユーザが地図を更新しようとする際の有用な情報をユーザに提供する事ができるという効果を有する地図表示装置を提供することができる。
【発明を実施するための最良の形態】
【０００９】
本発明においては、地図データの少なくとも作成時期に関する更新情報を含む地図データ管理情報を所定の地図区画単位毎に送信可能なサーバ装置とともに、地図配信システムを構成する地図表示装置であって、地図データを記憶する地図データ記憶手段と、前記地図データ記憶手段に記憶された地図データの地図データ管理情報を前記所定の地図区画単位毎に記憶する地図データ管理情報記憶手段と、現在表示されている地図データの古さの段階を表示するか否かやその表示内容などを入力する操作手段と、前記操作手段により地図データの古さの段階を表示する旨入力された場合に前記サーバ装置に対して地図データ管理情報の要求信号を送信し前記サーバ装置から地図データ管理情報を受信する通信手段と、前記操作手段により地図データの古さの段階を表示する旨入力された場合に前記通信手段で受信した地図データ管理情報と前記地図データ管理情報記憶手段に記憶された地図データ管理情報とを比較して前記地図データ記憶手段に記憶された地図データの古さの段階を前記所定の地図区画単位毎に算出する更新情報比較手段と、前記更新情報比較手段の算出結果と前記地図データ記憶手段に記憶された地図データとをもとに地図データの古さの段階が前記所定の地図区画単位毎に分るような地図表示を行う表示手段とを備えたことを特徴とする。
【００１０】
これにより、装置が保有する地図の古さの段階を区画毎にユーザに知らしめることができる。
【００１１】
また、前記表示手段は、更新番号や更新時期などの文字情報によって地図データの古さの段階を表示させることを特徴とする。
【００１２】
これにより、装置が保有する地図の古さの段階を区画毎にユーザに知らしめることができる。
【００１３】
また、前記表示手段は、色や明るさなどのイメージ情報によって地図データの古さの段階を表示させることを特徴とする。
【００１４】
これにより、装置が保有する地図の古さの段階を区画毎にユーザに知らしめることができる。
【００１５】
また、前記サーバ装置は地図データの送信も可能であって、前記操作手段は前記サーバ装置から地図データを入手して更新する指示を入力することが可能で、前記通信手段は前記操作手段により地図データの更新指示が入力された場合、前記サーバ装置に対して地図データおよび地図データ管理情報の要求信号を送信し前記サーバ装置から地図データや地図データ管理情報を受信し、前記地図データ記憶手段は前記通信手段で受信した地図データを記憶し、前記地図データ管理情報記憶手段は前記通信手段で地図データを受信した際に前記通信手段で受信した地図データ管理情報を記憶することを特徴とする。
【００１６】
これにより、ユーザの希望に応じて地図データをサーバ装置から入手し更新することができる。
【００１７】
以下、本発明の各実施の形態について、図面を用いて説明する。
【００１８】
（実施の形態１）
本発明の実施の形態１における地図表示装置を図１および図２に示す。
【００１９】
図１は、本発明の実施の形態１におけるシステムの概略機能ブロック図である。本発明の実施の形態１における地図表示装置は、図１に示すように、地図表示装置１とサーバ装置１１で構成される地図配信システムにおいて、サーバ装置１１の最新地図の更新段階と地図表示装置１の地図の更新段階とを比較してその結果をユーザに提供するものである。地図表示装置１は、地図データを記憶した地図データ記憶手段２と、地図の区画コードや更新時期、バージョンなどの更新情報を含む地図データ管理情報を記憶する地図データ管理情報記憶手段３と、現在表示されている地図データの古さの段階を表示するか否かやその表示をどのように表示するかや、あるいは地図データを更新するか否かなどを入力するための操作手段４と、サーバ装置１１に対して要求信号の送信や地図データ管理情報および地図データの受信を行う通信手段５と、サーバ装置１１から取得した地図データ管理情報と地図データ管理情報記憶手段３に記憶された地図データ管理情報とを区画ごとに比較して、地図表示装置１が保有する地図データがサーバ装置１１で保有される地図データに比べてどの程度の古さの段階にあるかを判断する更新情報比較手段６と、更新情報比較手段６の結果に基づいて所定の区画ごとに更新状況が分るよう文字や、画面の明度や色調が異なる様態で、地図と重ねて表示させる表示手段７とから構成される。
【００２０】
また、サーバ装置１１は、地図データ記憶手段１２と、地図データ管理情報記憶手段１３と、地図表示装置１１から送信されてきた要求信号に応じて、地図データや地図データ管理情報を地図データ記憶手段１２や地図データ管理情報記憶手段１３より読み出して送信する通信手段１４から構成される。
【００２１】
図２は、本発明の実施の形態１における地図表示装置１のハードウェア構成図である。
【００２２】
図２において、本発明の実施の形態１における地図表示装置１は、ＣＤやＤＶＤ等の地図データ記憶媒体２１と、地図データ記憶媒体２１からデータを読み込むためのデータ読取装置２２と、操作者が指示を入力するために操作するキーボード、リモコン等の操作部２３と、外部との情報の送受信を行う通信部２４と、地図や文字情報を表示するデスプレイ２５と、指示や案内などを音声で出力するスピーカ２６と、ＣＰＵやＲＡＭ、ＲＯＭ等で構成され、経路誘導動作に必要な演算・制御等の装置全体の制御を行う処理制御部２０とで構成される。
【００２３】
ここで、図１の機能手段と図２のハードウェアとの対応関係について説明する。地図データ記憶手段２はＣＤやＤＶＤなどの地図データ記憶媒体２１で実現されるが、装置内部にＨＤＤ等の記憶手段を備え、その中に記憶させる構成であっても良い。地図データ記憶手段２の地図データは、図１には記載していないが、ＣＤやＤＶＤドライブなどのデータ読取装置２２によって読み出され各部に出力される。表示や通信などの指示を行う操作手段４は操作部２３で実現され、操作部２３は操作者が機械的なボタンを押すことで信号が入力される。通信手段５は携帯電話などの送受信機やモデムなどで構成される通信部２４で実現される。更新情報比較手段６は、処理制御部２０によって実現され、処理制御部２０内のＣＰＵがＲＯＭ等（もしくは地図記憶媒体に地図と同じく記憶された各種プログラムをローディングしたＲＡＭ等）に記憶された各種制御プログラムを実行することによって実現される。また、地図データ管理情報記憶手段３は処理制御部２０内のＲＡＭや地図データ記憶媒体２１で実現される。地図データ管理情報記憶手段３の記憶する地図データ管理情報は装置の電源を落としてもデータが消去されないＳＲＡＭ等バックアップされるメモリに記憶するのが好ましい。
【００２４】
表示手段７は、処理制御部２０内で画像データを映像信号に変換する描画処理を行い、描画処理後の映像信号をディスプレイ２５に表示する。また音声出力手段は図１では省略しているが、処理制御部２０内でアナログ変換したり増幅したりされた音声信号がスピーカ２６から音声で出力される。
【００２５】
以上のように構成された地図表示装置１において、以下にその動作を説明する。
【００２６】
図３は本発明の実施の形態１における地図表示装置１の地図の古さの段階を表示する処理のフローチャートである。
【００２７】
図３において、まず、操作手段４から地図の古さの段階を表示するようユーザの指示がなされている場合は、通信手段５のレジスタのフラグに例えば１がセットされ、現在表示されている地図の区画情報がフラグと関連付けて記憶されている。地図の古さの段階を表示する動作のフローは、まず、ＳＴ３０１で通信手段５が地図の古さの段階を表示する指示があるか否かをチェックする。地図の古さの段階を表示しないよう指示されている場合（ＳＴ３０１のＮＯ）は、何もせずに終了し、通常の地図表示動作が実行される。
【００２８】
地図の古さの段階を表示するよう指示されている場合（ＳＴ３０１のＹＥＳ）は、通信手段５はサーバ装置１１が保有する更新情報を取得するために、現在表示されている地図の区画情報を含む要求信号を生成し（ＳＴ３０２）、サーバ装置１１に接続して生成した要求信号を送信する（ＳＴ３０３）。地図データ管理情報の要求信号生成処理の動作説明は後述する。
【００２９】
次に、サーバ装置１１側では、通信手段１４は地図表示装置１から送られてきた地図データ管理情報要求信号を受信すると（ＳＴ３０４）、地図データ管理情報記憶手段１３から要求された地図区画における地図データ管理情報を読み出して（ＳＴ３０５）、地図区画情報と併せて所定のフォーマットにして応答信号を生成し（ＳＴ３０６）、通信手段１４を通して地図表示装置１へ送信する（ＳＴ３０７）。
【００３０】
次に地図表示装置１側では、通信手段５を通してサーバ装置１１からの応答信号を受信すると（ＳＴ３０８）、応答信号に含まれる複数の地図データ管理情報を抽出し、所定のレジスタに所定のフォーマットで記憶する（ＳＴ３０９）。実際の地図データ管理情報は、例えば地図区画コード、及びバージョン識別コードや更新年月日などで構成されるバージョンコードなどである。
【００３１】
次に、更新情報比較手段６は、地図表示装置１が保有する地図の地図データ管理情報記憶手段３及びサーバ装置１１から取得して一時保管されている地図データ管理情報を読出して地図の古さの段階の表示処理を行う（ＳＴ３１０）。表示処理の詳細は後述する。
【００３２】
次に図４を用いて、地図データ管理情報要求信号の生成処理動作を説明する。
【００３３】
図４において、まず、通信手段５は現在表示中の地図の区画情報を地図データ管理情報記憶手段３から抽出する（ＳＴ４０１）。
【００３４】
次に、ＳＴ４０１で抽出した区画情報として、区画数および区画コードを所定のレジスタに設定する（ＳＴ４０２）。例えば、表示している地図が４個の地図区画にまたがっている場合は区画数４と、それぞれの区画について地図データ記憶手段２から読み取った各区画コードを設定する。
【００３５】
次に、ユーザがサーバ装置１１より取得するバージョンの個数を指定したかを確認する（ＳＴ４０３）。個数の指定がされた場合は指定個数を所定のレジスタに設定し（ＳＴ４０４）、指定がない場合は、予め決められた個数を設定する（ＳＴ４０５）。最後にレジスタに記憶された各情報を読み出して要求信号テーブルを作成して地図データ管理情報要求信号生成処理を終了する（ＳＴ４０６）。
【００３６】
図５及び図６に要求信号テーブルの例を示す。
【００３７】
図５は区画コードＡ９の地図区画についてバージョン情報を最新版から３版取得する要求を示しており、図６は区画コードＡ９、Ｂ１、ＢＡ、Ｃ８の４種類の地図区画について、おのおの最新版から４版のバージョン情報を取得する要求を示すものである。
【００３８】
また、図７および図８は要求信号に基づいてサーバ装置１１が返信し地図表示装置１で受信した応答信号のデータ構成の例を示すものである。図７は図５に示した要求に対してバージョンコード１〜３が応答データとして応答信号に載せて返信されてくることを示している。バージョンコードの内容は、例えば、バージョン識別番号、西暦、月、日が順番に並んだものである。
【００３９】
図８は図６に示した要求に対して、区画コードＡ９、Ｂ１、ＢＡ、Ｃ８という４種類の地図区画について４個のバージョンコード１〜４が応答データとして応答信号に載せて返信されてくることを示している。バージョンコードの内容は、図７の説明と同様である。
【００４０】
次に図９を用いて図３のＳＴ３１０の地図の古さの段階の表示処理を詳しく説明する。
【００４１】
図９は本発明の実施の形態１における地図の古さの段階の表示処理動作のフローチャートである。図９は地図表示装置１が保有する地図のバージョン番号とサーバ装置１１が保有するバージョン番号とをアイコン表示する動作のフローを示す。
【００４２】
図９において、先ず、更新情報比較手段６は地図区画毎の処理を実行するために、区画を特定するレジスタＹに１をセットして初期化する（ＳＴ９０１）。このレジスタはユーザがサーバ装置１１に地図データ管理情報の取得を要求した時の地図区画の個数をカウントするためのレジスタである。次にサーバ装置１１から取得して一時記憶した地図データ管理情報の1番目の区画番コードＫ１を抽出し（ＳＴ９０２）、続いて区画Ｋ１の最新のバージョンコードＶＣ１を抽出する（ＳＴ９０３）。図７ではＫ１は「Ａ９」であり、ＶＣ１は「０５２００４０８０１」である。「０５」はバージョン番号、「２００４」は西暦、「０４」は月、「０１」は日である。
【００４３】
次に、ユーザが指定した表示方法を選択し、バージョン番号を表示する場合は（ＳＴ９０４のＹＥＳ）、ＶＣ１のデータからバージョン番号Ｍを抽出する（ＳＴ９０５）。これは例えば図７の4行目の「０５」に相当する。
【００４４】
続いて、地図表示装置１の保有する地図の区画ＫＹのバージョン番号ｎを抽出する。例えば、地図表示装置１の保有する地図の区画ＫＹのバージョンが図７の最下行に示すバージョンコード（ＶＣ３）と同じバージョンであれば、バージョン番号は「０３」となる。（ＳＴ９０６）
続いて、表示制御手段８は、前述したバージョン番号「０５」「０３」にバージョンであることを示す文字「Ｖ」を付けて、表示データＶ０５、Ｖ０３を生成し（ＳＴ９０７）、これらを所定のフォームでアイコン化する（ＳＴ９０８）。
【００４５】
次にレジスタＹに１を加算してＹが要求した区画数以下であれば、ＳＴ９０２に戻って２番目の区画コードＫ２を抽出しＳＴ９０８まで実行して、区画Ｋ２における表示アイコンを生成する。以下、要求区画数だけ繰り返しＳＴ９１０でＹが区画数を超えたら、生成したアイコンを地図画面に重ねて表示させるよう制御する（ＳＴ９１１）。
【００４６】
一方、ＳＴ９０４でバージョン番号ではなく、更新時期を表示するようユーザが指定した場合（ＳＴ９０４のＮＯ）は、ＶＣ１から更新時期データＤを抽出する（ＳＴ９１２）。これは例えば図７の4行目の「２００４０８０１」に相当する。続いて地図表示装置１の保有する地図の区画ＫＹの時期データｄを抽出し（ＳＴ９１３）、表示するフォームの表示データを生成する。例えばＤｙを西暦年度、Ｄｍを月とし、「Ｄｙ／Ｄｍ」というフォームで表示する場合は、更新時期データＤの中から上位４桁をＤｙとし、（Ｄｙ＝２００４）続く２桁をＤｍとして（Ｄｍ＝０８）斜線を間に挿入して「２００４／０８」のように更新年月と分る表示フォームを生成し（ＳＴ９１４）、ＳＴ９０８でアイコン化する。ＳＴ９１３で抽出した地図表示装置１の地図の表示データも同様にして、「ｄｙ／ｄｍ」＝「２００２／０４」となる。
【００４７】
図１０は図９における表示処理に基づく表示の例を説明する図である。図１０は現在表示されている地図のバージョン番号とサーバ装置１１が有する同じ区画の地図のバージョン番号とを表示手段７によりアイコンを用いて示した例である。地図表示装置１が保有する地図を用いて表示中の区画の地図のバージョン番号が０３で、サーバ装置１１から提供される最新バージョン番号が０５の場合を示しており、最新のバージョンＶ０５と、地図表示装置１のバージョンＶ０３の間にＶ０４が存在し、古さの段階としては２段階前の地図であることを示している。
【００４８】
この例では区画コードは省略してあるが、表示するようにしても良いことは言うまでもない。
【００４９】
また、更新を促す意味で、Ｖ０５という表示文字を点滅したり、Ｖ−ＵＰ！のような警告文字を点滅表示したりすると、ユーザにとって分りやすい表示となる。
【００５０】
図９では、サーバ装置１１から取得したデータの最新バージョンのデータのみを表示に用いる処理を説明したが、ＳＴ９０５の変わりに、例えば図８におけるバージョンコード１〜４全てを抽出し、ＳＴ９０６ではバージョンコード１〜４の中の、地図表示装置１が保有する地図と同じバージョンのデータにフラグをセットするなどして、地図の古さの段階を表示する場合に地図表示装置１が保有する地図のバーションと同じバーションの位置にマークするようにしてもよい。そのようにして生成した地図の古さの段階の表示例を図１１を用いて説明する。図１１は現在表示されている地図のバージョンとサーバ装置１１が有する同じ区画の地図のバージョンの更新履歴（最新の４段階のみ）とを表示した例である。ここではバージョン番号の代わりに更新年月を表示した例とした。地図表示装置１の地図の更新時期が「２００２／０４」であるのに対し、サーバ装置１１から提供される最新のバージョンの更新時期は「２００４／０８」であり、地図表示装置１の地図は２段階前の地図であることが分ると共に、最新のバージョンに更新されてからどれくらい経っているかが分る。また、過去から最新バージョンに至る更新間隔も分るので、更新のタイミングを図る手助けとなる。
【００５１】
図１０および図１１の例では地図の古さの段階の表示例としてバージョン番号または更新時期のいずれかを表示しているが、表示方法を入れ替えてもよいし、バージョン番号と更新時期の両方を表示しても良い。更新時期は年月のみ表示したが、日にちまで表示させても良い。
【００５２】
図１２は本発明の実施の形態１における地図表示装置１の地図を更新する処理のフローチャートである。
【００５３】
図１２において、まず、操作手段４から地図を更新するようユーザの指示がなされている場合は、通信手段５のレジスタのフラグに例えば１がセットされ、現在表示されている地図の区画情報がフラグと関連付けて記憶されている。地図を更新する動作のフローは、まず、ＳＴ１２０１で通信手段５が地図を更新する指示があるか否かをチェックする。地図を更新しないよう指示されている場合（ＳＴ１２０１のＮＯ）は、何もせずに終了する。
【００５４】
地図を更新するよう指示されている場合（ＳＴ１２０１のＹＥＳ）は、通信手段５はサーバ装置１１が保有する地図データおよび地図データ管理情報を取得するために、現在表示されている地図の区画情報を含む要求信号を生成し（ＳＴ１２０２）、サーバ装置１１に接続して生成した要求信号を送信する（ＳＴ１２０３）。
【００５５】
次に、サーバ装置１１側では、通信手段１４は地図表示装置１から送られてきた地図データ要求信号および地図データ管理情報要求信号を受信すると（ＳＴ１２０４）、地図データ記憶手段1２から要求された地図区画における地図データを、地図データ管理情報記憶手段１３から要求された地図区画における地図データ管理情報を読み出して（ＳＴ１２０５）、地図データ管理情報については地図区画情報と併せて所定のフォーマットにして応答信号を生成し（ＳＴ１２０６）、通信手段１４を通して地図データと応答信号とを地図表示装置１へ送信する（ＳＴ１２０７）。
【００５６】
次に地図表示装置１側では、通信手段５を通してサーバ装置１１から地図データおよび応答信号を受信すると（ＳＴ１２０８）、地図データ記憶手段２に受信した地図データを記憶し（ＳＴ１２０９）、地図データ管理情報記憶部３に受信した応答信号に含まれる複数の地図データ管理情報を抽出して記憶する（ＳＴ１２１０）。
【００５７】
以上のように本実施の形態によれば、地図表示装置が保有する区画毎の地図のバージョン番号や更新時期を、サーバ装置が提供する地図のバージョン番号や更新時期と共に文字情報によって表示させ、古さの段階を認識させることにより、地図を更新しようとする際の有用な情報をユーザに提供することができ、また、地図の古さの段階を見たユーザーは、希望に応じて地図データの更新をすることができる。
（実施の形態２）
本発明の実施の形態２について説明する。
【００５８】
図１３は、本発明の実施の形態２におけるシステムの概略機能ブロック図である。実施の形態１におけるシステム構成との違いは、表示手段８の機能の差のみであり、ハードウェア構成は同じであるためハードウェア構成図は省略する。
【００５９】
実施の形態１においては、表示手段７は地図表示装置１が保有する地図の古さの段階を文字表示によってユーザに提供するように制御したのに対し、実施の形態２においては、表示手段８は地図の色や明るさなどのイメージで地図の古さの段階をユーザに提供するように制御するものである。
【００６０】
本実施の形態の地図表示装置１は、実施の形態１と同様に現在表示中の地図区画について、ユーザにより地図の古さの段階の表示指示があった時に、最新のバージョン情報を含む地図データ管理情報をサーバ装置１１から取得し、地図表示装置１が保有する地図のバージョンの古さの段階がサーバ装置１１の地図更新履歴上のどの段階にあるかを、色や明るさなどのイメージによってユーザに知らしめるものである。
【００６１】
以上のように構成された地図表示装置１において、以下にその動作を説明する。
【００６２】
図１４は本発明の実施の形態２における地図表示装置１の地図の古さの段階の表示処理のフローチャートである。
【００６３】
図１４において、先ず、ＳＴ９０１と同様に、更新情報比較手段６は地図区画毎の処理を実行するために、区画を特定するレジスタＹに１をセットして初期化する（ＳＴ１４０１）。続いて、ユーザがサーバ装置１１に地図データ管理情報の取得を要求した時の取得バージョンの個数をカウントするためのレジスタＸに１を設定して初期化する（ＳＴ１４０２）。
【００６４】
次にサーバ装置１１から取得して一時記憶した地図データ管理情報の1番目の区画番コードＫ１を抽出し（ＳＴ１４０３）、続いて区画Ｋ１の最新のバージョンコードＶＣ１を抽出し（ＳＴ１４０４）、さらに、ＶＣ１のデータからバージョン番号Ｍを抽出する（ＳＴ１４０５）。
【００６５】
次に、地図表示装置１の保有する地図の区画ＫＹのバージョン番号ｎを抽出し（ＳＴ１４０６）、Ｍからｎを減算することによって、最新のバージョンに対する地図表示装置１の保有する地図のバージョンの古さの段階を算出し（ＳＴ１４０７）、その結果を明度レベルとして区画コードＫＹに関連付けて所定のレジスタＺに記憶する（ＳＴ１４０８）。
【００６６】
次に、表示手段８はバージョンコードＶＣ１のデータから更新時期データＤを抽出し（ＳＴ１４０９）、ＳＴ９１４と同様に表示データを生成し（ＳＴ１４１０）、バージョン個数レジスタＸに１を加算して（ＳＴ１４１１）Ｘがユーザが要求したバージョン個数に達したかチェックして（ＳＴ１４１２）、超えてなければＳＴ１４０９に戻って表示データ生成を繰り返す。
【００６７】
Ｘが要求バージョン個数を超えた場合は（ＳＴ１４１２のＹＥＳ）、表示手段８は区画Ｋ１の地図の古さの段階として表示するアイコンを生成する（ＳＴ１４１３）。続いて区画数レジスタＹに１を加算し（ＳＴ１４１４）、区画数Ｙと要求した区画数を比較する（ＳＴ１４１５）。
【００６８】
区画数Ｙが要求した区画個数以下の場合はＳＴ１４０３に戻って２番目の区画Ｋ２についてＳＴ１４０３からＳＴ１４１５の処理を繰り返す。
【００６９】
区画数Ｙが要求した区画個数を超えた場合は、表示手段８はＳＴ１４１６で区画毎に生成した表示アイコンを地図画面に重ねて表示させると共に、各区画の表示領域の地図をそれぞれ対応する明度レベルＺに応じた明るさで表示させる。
【００７０】
図１４では、古さの段階を明度レベルとして、明るさに差を持たせた表示を行う処理を説明したが、古さの段階を地図のベースカラーなどの色調に対応させても良い。
【００７１】
図１５は各区画の地図の古さの段階を地図のベースカラーの明るさを変えて表示した例である。明るさの違いを示すために図では各区画のベースを斜線や斑点を施してパターンの違いで表している。古さの判別を補うために地図のバージョン（更新時期）を西暦年号と月で画面に表示した例として示した。なお、表示例は、ユーザによる地図の古さの段階の表示指示に基づいて、現在表示されている領域を構成する区画毎に地図の古さの段階を表示している状態であり、ユーザの指示で地図の古さの段階の表示モードから通常の表示モードへ簡単に切り換えられるようにできることは言うまでもない。また、瞬時に地図の古さの段階の表示モードから通常の表示モードへ簡単に切り換えることができることから、地図の古さの段階の表示モードでは地図は表示せず、単にパターンのみの表示で古さの段階を確認させるようにすることもできる。
【００７２】
図１６は各区画の地図の古さを地図のベースカラー又は明度を変えて表示した別の例である。表示画面には１６個の区画の地図が表示されており、例えばＣ−１、Ｄ−１、Ｄ−２は２０００／0４に更新された地図であり、Ａ−１、Ｂ−１は２００１／０４に更新された地図であり、Ａ−４、Ｂ−４は２００２／０４に更新された地図であり、Ｃ−４、Ｄ−３、Ｄ−４は２００３／０５に更新された地図である。Ａ−２、Ａ−３、Ｂ−２、Ｂ−３、Ｃ−２、Ｃ−３は２００４／０８に更新された最新の地図である。各区画の地図の古さの段階が分りやすいように、画面左下部分に、西暦年号と月で表した地図のバージョン情報を、ベースカラー又は明度と対比させて表示させた例として示した。
【００７３】
以上のように本実施の形態によれば、地図表示色や明るさなどのイメージによって各区画の地図の古さの段階を表示させることにより、地図表示装置が保有する地図の古さの段階をユーザに知らしめることができるので、地図を更新しようとする際の有用な情報をユーザに提供することができるという効果を有する地図表示装置を提供することができる。
【産業上の利用可能性】
【００７４】
以上のように、本発明に係る地図表示装置は、サーバ装置側の地図の更新履歴に対する地図表示装置側の地図更新の対応状況が分るように地図の区画ごとに古さの段階をユーザに知らしめることができ、ユーザが地図を更新しようとする際の有用な情報をユーザに提供することができるという効果を有し、サーバ装置から地図を取得して表示する地図表示装置として有用である。
【図面の簡単な説明】
【００７５】
【図１】本発明の実施の形態１における地図表示装置を含むシステムの機能ブロック図
【図２】本発明の実施の形態１における地図表示装置のハードウェア構成図
【図３】本発明の実施の形態１における地図表示装置の地図の古さの段階を表示する処理のフローチャート
【図４】本発明の実施の形態１における地図表示装置の地図データ管理情報要求信号の生成処理のフローチャート
【図５】本発明の実施の形態１における地図表示装置の地図データ管理情報要求信号の構成例を示す説明図
【図６】本発明の実施の形態１における地図表示装置の地図データ管理情報要求信号の構成例を示す説明図
【図７】本発明の実施の形態１における地図表示装置の受信した応答信号のデータ構成例を示す説明図
【図８】本発明の実施の形態１における地図表示装置の受信した応答信号のデータ構成例を示す説明図
【図９】本発明の実施の形態１における地図表示装置の地図の古さの段階を表示する処理のフローチャート
【図１０】本発明の実施の形態１における地図表示装置の地図の古さの段階の表示例を示す説明図
【図１１】本発明の実施の形態１における地図表示装置の地図の古さの段階の表示例を示す説明図
【図１２】本発明の実施の形態１における地図表示装置の地図を更新する処理のフローチャート
【図１３】本発明の実施の形態２における地図表示装置を含むシステムの機能ブロック図
【図１４】本発明の実施の形態２における地図表示装置の地図の古さの段階を表示する処理のフローチャート
【図１５】本発明の実施の形態２における地図表示装置の地図の古さの段階の表示例を示す説明図
【図１６】本発明の実施の形態２における地図表示装置の地図の古さの段階の表示例を示す説明図
【符号の説明】
【００７６】
１    地図表示装置
２    地図データ記憶手段
３    地図データ管理情報記憶手段
４    操作手段
５    通信手段
６    更新情報比較手段
７    表示手段
８    表示手段
１１    サーバ装置
１２    地図データ記憶手段
１３    地図データ管理情報記憶手段
１４    通信手段
【図１】
2006106252.tif 000003
【図２】
2006106252.tif 000004
【図３】
2006106252.tif 000005
【図４】
2006106252.tif 000006
【図５】
2006106252.tif 000007
【図６】
2006106252.tif 000008
【図７】
2006106252.tif 000009
【図８】
2006106252.tif 000010
【図９】
2006106252.tif 000011
【図１０】
2006106252.tif 000012
【図１１】
2006106252.tif 000013
【図１２】
2006106252.tif 000014
【図１３】
2006106252.tif 000015
【図１４】
2006106252.tif 000016
【図１５】
2006106252.tif 000017
【図１６】
2006106252.tif 000018